(57)【要約】【課題】  放送番組を実際の区切りから的確に再生させる。【解決手段】  情報記録再生装置１００は、放送中の番組および番組を放送する時刻を表わす情報を受信するチューナ１１と、番組の映像を表わす情報を記録するハードディスク本体１２０と、時刻を検出するクロック１５と、チャプタポイントを記録するメモリ１６の第２の領域と、ハードディスク本体１２０が記録した情報を読出すピックアップ装置１２１と、クロック１５が検出した時刻および時刻を表わす情報を用いて、番組の区切りの映像を表す情報を記録する、ハードディスク本体１２０上の位置を検出し、チャプタポイントを用いて、番組の区切りの映像を受信した時以降に受信した映像の情報を読出すように、ピックアップ装置１２１を制御するシステム制御回路１０と、ピックアップ装置１２１が読出した情報を出力するセレクタ１８とを含む。【選択図】        図１
2006041715.tif 000002
【特許請求の範囲】
【請求項１】
放送中の番組および前記番組を放送する時刻を表わす情報を受信するチューナと、
前記番組の映像を表わす情報を記録するハードディスク本体と、
時刻を検出するクロックと、
前記ハードディスク本体のうち、最後に前記番組の映像を表わす情報を記録した位置を表わす情報を記録するメモリの第１の領域と、
前記ハードディスク本体が新たな番組の映像を表わす情報を記録するたびに、前記メモリの第１の領域が記録した情報を、前記新たな番組の映像を表わす情報の量に応じて更新するための更新手段と、
前記時刻を表わす情報を用いて、前記ハードディスク本体が情報を記録する間、繰返し前記クロックが検出した時刻および前記番組を放送する時刻の区切りが一致するか否かを判断するための判断手段と、
前記クロックが検出した時刻および前記番組を放送する時刻の区切りが一致した時点の、前記メモリの第１の領域が記録する情報を読出すための読出し手段と、
前記読出し手段が情報を読出すことにより検出した位置を表わす区切り情報を記録するメモリの第２の領域と、
前記ハードディスク本体が記録した情報を読出すピックアップ装置と、
前記区切り情報を用いて、前記番組の区切りの映像を受信した時以降に受信した映像の情報を読出すように、前記ピックアップ装置を制御するための制御手段と、
前記ピックアップ装置が読出した情報を出力するための出力手段とを含むハードディスクレコーダ。
【請求項２】
放送中の番組および前記番組を放送する時刻を表わす情報を受信するための受信手段と、
前記番組の映像を表わす情報を記録するための第１の記録手段と、
時刻を検出するための第１の検出手段と、
前記第１の検出手段が検出した時刻および前記時刻を表わす情報を用いて、前記番組の区切りの映像を表す情報を記録する、第１の記録手段上の位置を検出するための第２の検出手段と、
前記第２の検出手段が検出した位置を表わす区切り情報を記録するための第２の記録手段と、
前記第１の記録手段が記録した情報を読出すための第１の読出し手段と、
前記区切り情報を用いて、前記番組の区切りの映像を受信した時以降に受信した映像の情報を読出すように、前記第１の読出し手段を制御するための制御手段と、
前記第１の読出し手段が読出した情報を出力するための出力手段とを含む情報記録再生装置。
【請求項３】
前記第２の検出手段は、
最後に前記番組の映像を表わす情報を記録した前記第１の記録手段上の位置を表わす情報を記録するための第３の記録手段と、
前記第１の記録手段が新たな番組の映像を表わす情報を記録するたびに、前記第３の記録手段が記録した情報を、前記新たな番組の映像を表わす情報の量に応じて更新するための更新手段と、
前記時刻を表わす情報を用いて、前記第１の検出手段が検出した時刻および前記番組を放送する時刻の区切りが一致するか否かを判断するための判断手段と、
前記第１の検出手段が検出した時刻および前記番組を放送する時刻の区切りが一致した時点の、前記第３の記録手段が記録する情報を読出すための第２の読出し手段とを含み、
第２の記録手段は、前記第２の読出し手段が情報を読出すことにより検出した位置を表わす区切り情報を記録するための手段を含む、請求項２に記載の情報記録再生装置。
【請求項４】
前記判断手段は、前記第１の記録手段が情報を記録する間、繰返し前記第１の検出手段が検出した時刻および前記番組を放送する時刻の区切りが一致するか否かを判断するための手段を含む、請求項３に記載の情報記録再生装置。
【発明の詳細な説明】
【技術分野】
【０００１】
本発明は、ハードディスクレコーダおよび情報記録再生装置に関し、特に、いわゆる頭出し機能を備えたタイムシフト機能を備えたハードディスクレコーダおよび情報記録再生装置に関する。
【背景技術】
【０００２】
従来の番組記録再生システムは、特許文献１に開示されるように、複数の放送チャネルにおける放送番組を受信する複数の受信装置と、受信された放送番組を記録、再生する記録再生装置と、放送番組の受信、記録および再生を制御する制御装置とを備える番組記録再生システムであって、制御装置は、記録、再生装置に記録される放送番組における内容を判別する放送内容判別回路と、記録された放送番組における内容の区切りに区切信号を付与する区切信号付与回路と、区切信号を参照して、記録された放送番組を、その内容の区切りから再生する指示を記録、再生装置に対して与える再生指示回路とを具備する。
【０００３】
この発明によると、ある内容の区切り（たとえばコマーシャルと番組との区切り）から番組を再生させる機能（頭出し機能）といった、使用者に対して高度な利便性を有するタイムシフト再生（現在放送されているテレビジョン番組を時間を遡らせて、あるいは番組の最初から視聴する再生のことをいう）を提供することができる。
【０００４】
しかし、特許文献１に開示された発明では、実際の番組の区切りとは何ら関係がない部分から番組が再生されることとなるという問題点がある。このようなことが生じる原因は、放送番組における内容を自動的に正しく判別することが困難な点にある。
【特許文献１】特開２００３−８７７３０号公報
【発明の開示】
【発明が解決しようとする課題】
【０００５】
本発明は上述の間遠点を解決するためになされたものであって、その目的は、放送番組を実際の区切りから的確に再生させることができるハードディスクレコーダおよび情報記録再生装置を提供することにある。
【課題を解決するための手段】
【０００６】
上記目的を達成するために、本発明のある局面にしたがうと、ハードディスクレコーダは、放送中の番組および番組を放送する時刻を表わす情報を受信するチューナと、番組の映像を表わす情報を記録するハードディスク本体と、時刻を検出するクロックと、ハードディスク本体のうち、最後に番組の映像を表わす情報を記録した位置を表わす情報を記録するメモリの第１の領域と、ハードディスク本体が新たな番組の映像を表わす情報を記録するたびに、メモリの第１の領域が記録した情報を、新たな番組の映像を表わす情報の量に応じて更新するための更新手段と、時刻を表わす情報を用いて、ハードディスク本体が情報を記録する間、繰返しクロックが検出した時刻および番組を放送する時刻の区切りが一致するか否かを判断するための判断手段と、クロックが検出した時刻および番組を放送する時刻の区切りが一致した時点の、メモリの第１の領域が記録する情報を読出すための読出し手段と、読出し手段が情報を読出すことにより検出した位置を表わす区切り情報を記録するメモリの第２の領域と、ハードディスク本体が記録した情報を読出すピックアップ装置と、区切り情報を用いて、番組の区切りの映像を受信した時以降に受信した映像の情報を読出すように、ピックアップ装置を制御するための制御手段と、ピックアップ装置が読出した情報を出力するための出力手段とを含む。
【０００７】
すなわち、判断手段は、時刻を表わす情報を用いて、ハードディスク本体が情報を記録する間、繰返しクロックが検出した時刻および番組を放送する時刻の区切りが一致するか否かを判断する。読出し手段は、クロックが検出した時刻および番組を放送する時刻の区切りが一致した時点の、メモリの第１の領域が記録する情報を読出す。メモリの第２の領域は、読出し手段が情報を読出すことにより検出した位置を表わす区切り情報を記録する。制御手段は、区切り情報を用いて、番組の区切りの映像を受信した時以降に受信した映像の情報を読出すように、ピックアップ装置を制御する。これにより、番組の区切りは、判断の繰返しを経て、番組を放送する時刻を表わす情報により検出される。そのような情報により判断の繰返しを経た上で番組の区切りが検出されるので、番組の区切りは、実際の区切りと特に的確に合致する。装置の構成は簡単になる。その結果、簡単な構成で、放送番組を実際の区切りから特に的確に再生させることができる情報記録再生装置を提供することができる。
【０００８】
本発明の他の局面にしたがうと、情報記録再生装置は、放送中の番組および番組を放送する時刻を表わす情報を受信するための受信手段と、番組の映像を表わす情報を記録するための第１の記録手段と、時刻を検出するための第１の検出手段と、第１の検出手段が検出した時刻および時刻を表わす情報を用いて、番組の区切りの映像を表す情報を記録する、第１の記録手段上の位置を検出するための第２の検出手段と、第２の検出手段が検出した位置を表わす区切り情報を記録するための第２の記録手段と、第１の記録手段が記録した情報を読出すための第１の読出し手段と、区切り情報を用いて、番組の区切りの映像を受信した時以降に受信した映像の情報を読出すように、第１の読出し手段を制御するための制御手段と、第１の読出し手段が読出した情報を出力するための出力手段とを含む。
【０００９】
すなわち、第２の検出手段は、第１の検出手段が検出した時刻および時刻を表わす情報を用いて、番組の区切りの映像を表す情報を記録する、第１の記録手段上の位置を検出する。第２の記録手段は、第２の検出手段が検出した位置を表わす区切り情報を記録する。制御手段は、区切り情報を用いて、番組の区切りの映像を受信した時以降に受信した映像の情報を読出すように、第１の読出し手段を制御する。これにより、番組の区切りは、番組を放送する時刻を表わす情報により検出される。そのような情報により番組の区切りが検出されるので、番組の区切りは、実際の区切りと的確に合致する。その結果、放送番組を実際の区切りから的確に再生させることができる情報記録再生装置を提供することができる。
【００１０】
また、上述の第２の検出手段は、最後に番組の映像を表わす情報を記録した第１の記録手段上の位置を表わす情報を記録するための第３の記録手段と、第１の記録手段が新たな番組の映像を表わす情報を記録するたびに、第３の記録手段が記録した情報を、新たな番組の映像を表わす情報の量に応じて更新するための更新手段と、時刻を表わす情報を用いて、第１の検出手段が検出した時刻および番組を放送する時刻の区切りが一致するか否かを判断するための判断手段と、第１の検出手段が検出した時刻および番組を放送する時刻の区切りが一致した時点の、第３の記録手段が記録する情報を読出すための第２の読出し手段とを含むことが望ましい。あわせて、第２の記録手段は、第２の読出し手段が情報を読出すことにより検出した位置を表わす区切り情報を記録するための手段を含むことが望ましい。
【００１１】
すなわち、第２の検出手段は、第１の検出手段が検出した時刻および番組を放送する時刻の区切りが一致した時点の第１の記録手段上の位置を検出する。これにより、簡単な構成で、番組の区切りを的確に検出できる。その結果、簡単な構成で、放送番組を実際の区切りから的確に再生させることができる情報記録再生装置を提供することができる。
【００１２】
また、上述の判断手段は、第１の記録手段が情報を記録する間、繰返し第１の検出手段が検出した時刻および番組を放送する時刻の区切りが一致するか否かを判断するための手段を含むことが望ましい。
【００１３】
すなわち、判断手段は、第１の記録手段が情報を記録する間、繰返し第１の検出手段が検出した時刻および番組を放送する時刻の区切りが一致するか否かを判断する。これにより、簡単な構成であっても、番組の区切りをより的確に検出できる。その結果、簡単な構成で、放送番組を実際の区切りからより的確に再生させることができる情報記録再生装置を提供することができる。
【発明の効果】
【００１４】
本発明に係るハードディスクレコーダおよび情報記録再生装置は、放送番組を実際の区切りから的確に再生させることができる。
【発明を実施するための最良の形態】
【００１５】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１６】
図１は、本発明のディスク再生装置の第１の実施の形態である情報記録再生装置１００の構成を示す図である。本実施の形態に係る情報記録再生装置１００は、ハードディスクレコーダである。
【００１７】
図１において、チューナ１１は、システム制御回路１０からディジタル放送のチャンネル指定信号が供給された場合には、この指定されたチャンネルのディジタル放送波で放送中の番組ならびにＥＰＧ（Electronic Program Guide）を受信する。ＥＰＧには、チューナ１１が受信した番組を放送する時刻を表わす情報が含まれている。この際、チューナ１１は、受信したディジタル放送波を復調することによりＭＰＥＧ(Moving Picture Experts Group)信号を得て、これをＭＰＥＧ信号ＭＡとしてハードディスク装置１２およびセレクタ１３の各々に供給する。これにより、ハードディスク装置１２は、チューナ１１が受信した放送が表わす映像の情報を、上書き記録することができる。また、チューナ１１は、システム制御回路１０からアナログテレビジョン放送(ＮＴＳＣ（National Television Standards Committee）方式、ＰＡＬ（Phase Alternation by Line）方式、またはＳＥＣＡＭ（SEquential Couleur A Memoire）方式)のチャンネル指定信号が供給された場合には、この指定されたチャンネルのアナログテレビジョン放送波を受信する。この際、チューナ１１は、受信したアナログテレビジョン放送波を復調して得たテレビジョン信号をＭＰＥＧエンコーダ１４に供給する。ＭＰＥＧエンコーダ１４は、かかるテレビジョン信号に対してＭＰＥＧ符号化処理を施して得た信号をＭＰＥＧ信号ＭＢとしてハードディスク装置１２に供給する。
【００１８】
セレクタ１３は、上記ハードディスク装置１２から供給された再生ＭＰＥＧ信号ＲＭ、およびチューナ１１から供給されたＭＰＥＧ信号ＭＡの中から、システム制御回路１０から供給された選択信号に応じた方を択一的に選択し、これをＭＰＥＧデコーダ１７に供給する。ＭＰＥＧデコーダ１７は、セレクタ１３から供給されたＭＰＥＧ信号に対してＭＰＥＧ復号処理を施すことにより、映像信号を得てこれを映像信号ＤAVとしてセレクタ１８に供給する。
【００１９】
クロック１５は、システム制御回路１０の信号に応じて、時刻を検出する。時刻が検出されると、クロック１５は、検出した時刻を表わす情報をシステム制御回路１０に出力する。
【００２０】
メモリ１６は、情報を記録する。メモリ１６は、複数の領域を含む。それら複数の領域のうち、第１の領域には、プレイポイントカウンタの値が記録される。第２の領域には、チャプタポイントが記録される。第３の領域には、その他の情報が記録される。
【００２１】
ＯＳＤ(On Screen Display)画像生成回路１９は、システム制御回路１０から供給された各種メッセージ表示指令に応じた画像を表示させるべきメッセージ画像信号ＤC を生成し、これをセレクタ１８に供給する。セレクタ１８は、上記映像信号ＤAV（すなわちピックアップ装置１２１が読出した情報）およびメッセージ画像信号ＤC の中から、システム制御回路１０から供給された選択信号に応じた方を択一的に選択し、これをディスプレイ装置２００に出力する。
【００２２】
ディスプレイ装置２００は、情報記録再生装置１００から供給された上記映像信号ＤAV、またはメッセージ画像信号ＤC に基づく画像表示を行なう。
【００２３】
操作装置２２は、ユーザからの、放送チャンネル指定操作、録画済み番組指定操作、録画指令操作、再生指令操作、録画停止操作、および、再生停止操作等を受付け、その操作に応じた各種操作信号をシステム制御回路１０に供給する。尚、操作装置２２は、情報記録再生装置１００の筐体とは分離しているリモートコントローラであっても良い。
【００２４】
操作装置２２を用いたユーザによる各種操作に応じて、システム制御回路１０は、情報記録再生装置１００に、テレビモニタ、録画、タイムシフト再生を実施させることができる。
【００２５】
テレビモニタは、動作放送中の番組をリアルタイムで視聴するための動作である。この場合、ユーザは、上記操作装置２２を用いて所望の放送チャンネルを指定すべき放送チャンネル指定操作を行なう。かかる操作に応じて、システム制御回路１０は、この所望放送チャンネルの番組を受信させるべきチャンネル指定信号をチューナ１１に供給する。これと同時に、システム制御回路１０は、上記チューナ１１から出力されたＭＰＥＧ信号ＭＡを択一的にＭＰＥＧデコーダ１７に導出すべき選択信号をセレクタ１３に供給する。さらに、システム制御回路１０は、ＭＰＥＧデコーダ１７から出力された音声信号ＤAVを択一的にディスプレイ装置２００に導出すべき選択信号をセレクタ１８に供給する。
【００２６】
このような制御がなされることにより、チューナ１１によって受信および復調して得られたＭＰＥＧ信号ＭＡは、セレクタ１３を介してＭＰＥＧデコーダ１７に供給される。そして、ＭＰＥＧデコーダ１７にて復号された音声信号ＤAVが、セレクタ１８を介してディスプレイ装置２００に供給されることになる。これにより、ディスプレイ装置２００は、チューナ１１にて受信された所望チャンネルのディジタル放送番組をリアルタイムで画像表示することになる。
【００２７】
録画動作は、上述したようにチューナ１１にて受信された番組を録画するための動作である。この場合、ユーザは、上記操作装置２２を用いて録画指令操作を行なう。このような録画指令操作に応じて、システム制御回路１０は、記録を指令する旨の信号をハードディスク装置１２に供給すると共に、メモリ１６の一部であるライトポイントカウンタの現在のカウント値を取込み、これをライトポイントＷＰとしてハードディスク装置１２に供給する。さらに、システム制御回路１０は、チューナ１１にて受信して得られた上記ＭＰＥＧ信号ＭＡまたはＭＢのビットレートに応じた速度を表す信号ＳW を求め、これを内蔵レジスタ（図示略）に記憶させると共に、ライトポイントカウンタに供給する。これにより、ハードディスク装置１２は、ハードディスク本体１２０のタイムシフト領域に、上述した信号ＳW に応じた速度で、ピックアップ装置１２１を用いて、上記ＭＰＥＧ信号ＭＡまたはＭＢ（ひいては番組の映像を表わす情報）を順次記録していく。
【００２８】
タイムシフト再生動作とは、上記したような録画動作と同時に、録画済みの番組の再生を行なう、いわゆるタイムシフト再生を実施するための動作である。この場合、ユーザは、上記操作装置２２を用いて再生を指令する旨の操作および録画済み番組を指定する操作を行なう。このような操作に応じて、システム制御回路１０は、再生を指令する旨の信号をハードディスク装置１２に供給すると共に、プレイポイントカウンタの現在のカウント値を取込み、これをプレイポイントＰＰとしてハードディスク装置１２に供給する。さらに、システム制御回路１０は、ハードディスク本体１２０に記録された信号のビットレートに応じた速度を表す信号ＳR を求め、これを内蔵レジスタ（図示略）に記憶させると共に、プレイポイントカウンタに供給する。これにより、ハードディスク装置１２のピックアップ装置１２１は、ハードディスク本体１２０のタイムシフト領域から、上述した信号ＳR に応じた速度で、信号（ひいてはハードディスク本体１２０が記録した情報）を順次読出す。
【００２９】
図２に、操作装置２２の平面図を示す。上記した操作装置２２を用いての各操作を、操作装置２２に備えられたキーを用いて説明する。
【００３０】
放送チャンネル指定操作は、０〜９の各数字に対応して設けられたテンキー２２９を用いて行なわれる。
【００３１】
録画済み番組指定操作は、ハードディスク装置１２に記録されている番組の一覧を表示する画面に対してテンキー２２９を用いて番組を特定し、決定キー２２２が操作されることにより当該特定された番組が指定されることによって、行なわれる。
【００３２】
録画指令操作は、録画キー２２３が操作されることにより行なわれる。
【００３３】
再生指令操作は、再生キー２２４が操作されることにより行なわれる。
【００３４】
録画停止操作、および、再生停止操作は、録画動作中または再生動作中に停止キー２２５が操作されることにより行なわれる。
【００３５】
また、電源キー２２１が操作されることにより、情報記録再生装置１００への電源の投入のＯＮ−ＯＦＦが切替えられる。早送りキー２２８が操作されることにより、録画された画像の再生位置が早送りされ、巻戻しキー２２７が操作されることにより、録画された画像の再生位置が巻戻しされる。一時停止キー２２６が操作されることにより、再生中の録画画像の再生動作が一時停止され、また、一時停止中の再生動作が再開される。
【００３６】
図３を参照して、情報記録再生装置１００で実行されるプログラムは、チャプタポイントの設定処理に関し、以下のような制御構造を有する。
【００３７】
ステップ１００（以下、ステップをＳと略す。）にて、システム制御回路１０は、録画中の番組が別の番組に変わったか否かを判断する。この判断により、システム制御回路１０は、クロック１５が検出した時刻およびメモリ１６に記録されたＥＰＧを用いて、ハードディスク装置１２のうち、番組の区切りの映像を表す情報を記録する位置を検出することとなる。この判断は、次の手順を経て実施される。第１の手順は、プレイポイントカウンタに、最後に番組の映像を表わす情報を記録したハードディスク本体１２０上の位置を表わす情報を記録する手順である。第２の手順は、ハードディスク本体１２０が新たな番組の映像を表わす情報を記録するたびに、プレイポイントカウンタが記録した情報を、新たな番組の映像を表わす情報の量に応じて更新する手順である。第３の手順は、チューナ１１を用いて、最新のＥＰＧを受信する手順である。受信したＥＰＧは、システム制御回路１０により、メモリ１６に記録される。第４の手順は、クロック１５が時刻を検出する手順である。第５の手順は、ＥＰＧを用いて、クロック１５が検出した時刻および番組を放送する時刻の区切り（メモリ１６に記録されたＥＰＧにより表わされる）が一致するか否かを判断する手順である。誤って、クロック１５が検出した時刻と番組の区切りの時刻とが一致しないと判断されることがある。原因は、主としてシステム制御回路１０の処理のサイクルにある。このような誤った処理を防ぐため、本実施の形態では、クロック１５が検出した時刻と番組の区切りの時刻との差が予め定められた範囲内（本実施の形態の場合、この範囲は情報記録再生装置１００の設計者が任意に定める値である）に含まれるならば、クロック１５が検出した時刻と番組の区切りの時刻とは一致すると判断される。いったんこれらの時刻が一致すると判断されると、システム制御回路１０は、メモリ１６に記録されたチャプタフラグを「１」に設定することにより、同じ時刻を対象として複数のチャプタポイントが設定されることを防ぐ。このチャプタフラグが「０」に設定される（再びクロック１５が検出した時刻と番組の区切りの時刻とが一致すると判断される）のは、いったんクロック１５が検出した時刻と番組の区切りの時刻との差が予め定められた範囲を超えたときである。別の番組に変わったと判断した場合（Ｓ１００にてＹＥＳ）、処理はＳ１０２へと移される。もしそうでないと（Ｓ１００にてＮＯ）、処理はＳ１０４へと移される。
【００３８】
Ｓ１０２にて、メモリ１６のデータテーブルは、録画中の画像が記録されたアドレスと、チャプタ番号とを記録する。これにより、チャプタポイントが設定され、かつ記録される。本実施の形態において、チャプタポイントとは、番組の区切りの映像を表す情報を記録する位置を表わす区切り情報のことである。上述したように、番組の区切りの映像を表す情報を記録する位置は、システム制御回路１０により検出される。これに先立ち、システム制御回路１０は、クロック１５が検出した時刻および番組を放送する時刻の区切りが一致した時点の、プレイポイントカウンタが記録する情報を読出す。あわせてシステム制御回路１０は、メモリ１６のデータテーブルに、録画中の画像が記録されたアドレスの１つ前のアドレスを、新たに設定したチャプタポイントの１つ前の番号のチャプタポイントの終了アドレスとして記録する。
【００３９】
Ｓ１０４にて、システム制御回路１０は、番組の録画が終了したか否かを判断する。番組の録画が終了したと判断した場合（Ｓ１０４にてＹＥＳ）、処理は終了する。もしそうでないと（Ｓ１０４にてＮＯ）、処理はＳ１００へと移される。
【００４０】
図４を参照して、情報記録再生装置１００で実行されるプログラムは、スキップ処理に関し、以下のような制御構造を有する。
【００４１】
Ｓ１１０にて、システム制御回路１０は、ハードディスク装置１２に、録画した番組の映像を表す情報を出力させる。出力された情報はセレクタ１３、ＭＰＥＧデコーダ１７、およびセレクタ１８を経て、ディスプレイ装置２００に出力される。ディスプレイ装置２００は、出力された番組を表示する。Ｓ１１２にて、操作装置２２は、ユーザからの入力を受付ける。
【００４２】
Ｓ１１４にて、システム制御回路１０は、操作装置２２が受付けたユーザからの入力が、スキップアップか否かを判断する。スキップアップと判断した場合（Ｓ１１４にてＹＥＳ）、処理はＳ１１６へと移される。もしそうでないと（Ｓ１１４にてＮＯ）、処理はＳ１１８へと移される。
【００４３】
Ｓ１１６にて、システム制御回路１０は、番組の映像を表す情報の読み出しアドレスを表わすポインタの値（プレイポイント）を、現状のプレイポイントより後かつ最寄りのチャプタポイントに変更する。プレイポイントが変更されると、システム制御回路１０は、ハードディスク装置１２に、新たなプレイポイント以降の情報を出力させる。これにより、システム制御回路１０は、チャプタポイントを用いて、番組の区切りの映像を受信した時以降に受信した映像の情報を読出すように、ピックアップ装置１２１を制御することとなる。
【００４４】
Ｓ１１８にて、システム制御回路１０は、操作装置２２が受付けたユーザからの入力が、スキップダウンか否かを判断する。スキップダウンと判断した場合（Ｓ１１８にてＹＥＳ）、処理はＳ１２０へと移される。もしそうでないと（Ｓ１１８にてＮＯ）、処理はＳ１２２へと移される。
【００４５】
Ｓ１２０にて、システム制御回路１０は、番組の映像を表す情報の読み出しアドレスを表わすポインタの値（プレイポイント）を、現状のプレイポイントより後かつ最寄のチャプタポイントに変更する。プレイポイントが変更されると、システム制御回路１０は、ハードディスク装置１２に、新たなプレイポイント以降の情報を出力させる。これにより、システム制御回路１０は、チャプタポイントを用いて、番組の区切りの映像を受信した時以降に受信した映像の情報を読出すように、ピックアップ装置１２１を制御することとなる。
【００４６】
Ｓ１２２にて、システム制御回路１０は、操作装置２２が受付けたユーザからの入力が、番組の再生の終了か否かを判断する。番組の再生の終了と判断した場合（Ｓ１２２にてＹＥＳ）、処理は終了する。もしそうでないと（Ｓ１２２にてＮＯ）、処理はＳ１１２へと移される。
【００４７】
図５を参照して、以上のような構造およびフローチャートに基づく、情報記録再生装置１００の動作について説明する。図５における、数字を丸で囲った印はチャプタポイントが存在する位置を表わす。
【００４８】
システム制御回路１０は、録画中の番組が別の番組に変わったか否かを判断する（Ｓ１００）。この場合、番組（１）が開始されたばかりである。番組（１）が開始されたことも別の番組に変わったことと同様なので（Ｓ１００にてＹＥＳ）、チャプタポイントが設定される（Ｓ１０２）。このとき設定されるチャプタポイントが「チャプタ（１）」である。本来、システム制御回路１０は、メモリ１６のデータテーブルに、録画中の画像が記録されたアドレスの１つ前のアドレスを、新たに設定したチャプタポイントの１つ前の番号のチャプタポイントの終了アドレスとして記録する必要がある。しかしこのチャプタは最初に設定されたチャプタなので、終了アドレスの記録は実施されない。チャプタが設定されると、システム制御回路１０は、番組の録画が終了したか否かを判断する（Ｓ１０４）。番組の録画が開始されたばかりなので（Ｓ１０４にてＮＯ）、Ｓ１００〜Ｓ１０４の処理が繰返される。そのうち、番組（１）が終了し、番組（２）に変わる。これにより、システム制御回路１０は、録画中の番組が別の番組に変わったと判断するので（Ｓ１００にてＹＥＳ）、チャプタポイントが設定される（Ｓ１０２）。このとき設定されるチャプタポイントが「チャプタ（２）」である。あわせて、システム制御回路１０は、メモリ１６のデータテーブルに、録画中の画像が記録されたアドレスの１つ前のアドレスを、チャプタ（１）の終了アドレスとして記録する。アドレスが記録されると、システム制御回路１０は、番組の録画が終了したか否かを判断する（Ｓ１０４）。以後、Ｓ１００〜Ｓ１０４の処理が繰返された（これにより、システム制御回路１０は、Ｓ１００にて、ハードディスク本体１２０が情報を記録し続ける間、繰返しクロック１５が検出した時刻および番組を放送する時刻の区切りが一致するか否かを判断することとなる。）後、番組（４）が終了する。このとき、操作装置２２に、ユーザが録画を終了する旨を入力したとする。これにより、システム制御回路１０は、番組の録画が終了したと判断するので（Ｓ１０４にてＹＥＳ）、処理は終了する。チャプタ（５）の終了アドレスは記録されない。図６は、このときメモリ１６に記録されたチャプタポイントのアドレスを表わす図である。
【００４９】
録画が終了してから相当の時間が経過した後、操作装置２２に入力されたユーザの指示に応じ、システム制御回路１０は、ハードディスク装置１２に、録画した番組の映像を表す情報を出力させる（Ｓ１１０）。情報が出力されると、操作装置２２は、ユーザからの入力を受付ける（Ｓ１１２）。入力が受付けられると、システム制御回路１０は、操作装置２２が受付けたユーザからの入力が、スキップアップか否かを判断する（Ｓ１１４）。スキップアップと判断した場合（Ｓ１１４にてＹＥＳ）、システム制御回路１０は、プレイポイントを、現状のプレイポイントより後かつ最寄りのチャプタポイントに変更する（Ｓ１１６）。この場合、番組（１）が出力されている間にプレイポイントが変更されるので、プレイポイントはチャプタ（２）に変更される。チャプタポイントが変更されると、Ｓ１１２〜Ｓ１２２の処理が繰返された後、再びシステム制御回路１０は、操作装置２２が受付けたユーザからの入力が、スキップアップか否かを判断する（Ｓ１１４）。再びスキップアップの入力があったと判断した場合（Ｓ１１４にてＹＥＳ）、システム制御回路１０は、プレイポイントを、チャプタ（３）に変更する（Ｓ１１６）。同様にして、番組（３）の情報が表示されている間にスキップアップの入力があると、プレイポイントはチャプタ（４）に変更される。番組（４）の情報が表示されている間にスキップアップの入力があると、プレイポイントはチャプタ（５）に変更される。番組（４）の情報が表示されている間に、スキップアップではなくスキップダウンアップの入力があると（Ｓ１１２）、システム制御回路１０は、操作装置２２が受付けたユーザからの入力が、スキップダウンと判断するので（Ｓ１１８にてＹＥＳ）、システム制御回路１０は、プレイポイントを、現状のプレイポイントより後かつ最寄のチャプタポイントに変更する（Ｓ１２０）。この処理により、プレイポイントはチャプタ（４）に戻る。この時点で直ちに（再生に伴いプレイポイントが変化する前に）スキップダウンアップの入力があると（Ｓ１１２）、システム制御回路１０は、操作装置２２が受付けたユーザからの入力が、スキップダウンと判断するので（Ｓ１１８にてＹＥＳ）、システム制御回路１０は、プレイポイントを、チャプタ（３）に変更する（Ｓ１２０）。これを繰返すと、プレイポイントは順次チャプタ（２）およびチャプタ（１）に移る。プレイポイントがチャプタ（１）に移された後、再生を終了する旨の入力があると（Ｓ１１２）、Ｓ１１４〜Ｓ１１８の処理を経て、システム制御回路１０は、操作装置２２が受付けたユーザからの入力が、番組の再生の終了か否かを判断する（Ｓ１２２）。この場合、番組の再生の終了と判断するので（Ｓ１２２にてＹＥＳ）、処理は終了する。
【００５０】
以上のようにして、本実施の形態に係る情報記録再生装置は、次の処理を実施することができる。第１の処理は、タイムシフト領域へ情報を記録する際、ＥＰＧから取得した番組名を監視する処理である。ＥＰＧなどから取得した番組名が直前に再生された番組の番組名とわかれば、その時点でチャプタを追加する。第２の処理は、ユーザの選択に応じて、タイムシフト領域に記録された映像を番組の先頭から表示させる処理である。これらにより、タイムシフト領域に記録された映像であっても、ユーザは見たい番組各々の先頭から再生をさせることができる。番組各々の先頭から再生をさせることができるので、より利便性が高い情報記録再生装置を提供することができる。さらに、本実施の形態に係る情報記録再生装置は、簡単な構成により、的確にチャプタを設定できる。その結果、簡単な構成で、放送番組を実際の区切りからより的確に再生させることができる情報記録再生装置を提供することができる。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】本発明の実施の形態に係る情報記録再生装置の制御ブロック図である。
【図２】本発明の実施の形態に係る操作装置の外観図である。
【図３】本発明の実施の形態に係る情報記録再生装置のチャプタポイントの設定処理の制御の手順を示すフローチャートである。
【図４】本発明の実施の形態に係る情報記録再生装置のスキップ処理の制御の手順を示すフローチャートである。
【図５】本発明の実施の形態に係るタイムシフト領域の情報の内容およびチャプタポイントを表わす図である。
【図６】本発明の実施の形態に係るメモリに記録されたチャプタポイントに対応するアドレスを表わす図である。
【符号の説明】
【００５３】
１０  システム制御回路、１１  チューナ、１２  ハードディスク装置、１３，１８  セレクタ、１４  ＭＰＥＧエンコーダ、１５  クロック、１６  メモリ、１７  ＭＰＥＧデコーダ、１９  ＯＳＤ画像生成回路、２２  操作装置、１００  情報記録再生装置、１２０  ハードディスク本体、１２１  ピックアップ装置、２００  ディスプレイ装置、２２１  電源キー、２２２  決定キー、２２３  録画キー、２２４  再生キー、２２５  停止キー、２２６  一時停止キー、２２７  巻戻しキー、２２８  早送りキー、２２９  テンキー。
【図１】
2006041715.tif 000003
【図２】
2006041715.tif 000004
【図３】
2006041715.tif 000005
【図４】
2006041715.tif 000006
【図５】
2006041715.tif 000007
【図６】
2006041715.tif 000008